【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
受信機であって、
各々が異なるビット・ストリームを伝送する複数の相異なる周波数広帯域チャンネルを有する信号を供給する受信部と、
前記信号を処理して、前記複数の相異なる周波数広帯域チャンネルのうちの少なくとも２つから相異なるビット・ストリームを再生して、これらの再生された相異なるビット・ストリームを同時に供給する信号キャンセル・チューナと、
を含む受信機。
【請求項２】
前記信号キャンセル・チューナには、
前記信号をサンプリングして、一定数の抜き取り済みサンプル・ストリームを供給するサンプラーと、
前記一定数の抜き取り済みサンプル・ストリームを処理して、前記再生された相異なるビット・ストリームを供給する変換素子と、
が含まれている、請求項１記載の受信機。
【請求項３】
前記サンプラーには、
前記信号を前記一定数の抜き取り済みサンプル・ストリームに多重分離するデマルチプレクサと、
前記一定数の抜き取り済みサンプル・ストリームを時間的に整合させて前記変換素子に供給するフィルタ・バンクと、
が含まれている、請求項２記載の受信機。
【請求項４】
変換処理後に、奇数・偶数周波数チャンネル・ペアを分離して、前記再生された相異なるビット・ストリームのうちの少なくとも一部を供給する少なくとも１つのチャンネル再生素子を更に含む、請求項２記載の受信機。
【請求項５】
前記変換素子が、疎行列の因数分解を用いて、前記一定数の抜き取り済みサンプル・ストリームに対して、行列に基づく処理を行うように構成された、請求項２記載の受信機。
【請求項６】
前記変換素子が、高速フーリエ変換を用いて、前記一定数の抜き取り済みサンプル・ストリームに対して、行列に基づく処理を行うように構成された、請求項２記載の受信機。
【請求項７】
前記変換素子が、ハートリー変換に基づく離散フーリエ変換を用いて、前記一定数の抜き取り済みサンプル・ストリームに対して、行列に基づく処理を行うように構成された、請求項２記載の受信機。
【請求項８】
前記再生された相異なるビット・ストリームから一定数のバーチャル・チャンネルを供給する放送チャンネル分配器を更に含む、請求項１記載の受信機。
【請求項９】
衛星放送受信機であって、
各々がビット・ストリームを伝送する複数の相異なるトランスポンダ・チャンネルを表す信号を受信するロー・ノイズ・ブロックと、
前記信号から、前記複数の相異なるトランスポンダ・チャンネルの全体の帯域幅に関連するナイキスト・レートに等しいか、或いは、それより高いサンプリング・レートで発生するサンプルのシーケンスを表すデータ信号を供給するアナログ／ディジタル変換器と、
前記データ信号をサンプリングして、Ｎ個（Ｎ＞１）の抜き取り済みデータ・ストリームを供給するサンプラーと、
前記Ｎ個の抜き取り済みデータ・ストリームを処理して、前記複数の相異なるトランスポンダ・チャンネルのうちの少なくとも２つのトランスポンダ・チャンネルからのビット・ストリームを表す少なくとも２つの出力信号を同時に供給する変換素子と、
を含む衛星放送受信機。
【請求項１０】
前記サンプラーには、
信号を前記一定数の抜き取り済みデータ・ストリームに多重分離するデマルチプレクサと、
前記一定数の抜き取り済みデータ・ストリームを時間的に整合させて前記変換素子に供給するフィルタ・バンクと、
が含まれている、請求項９記載の衛星放送受信機。
【請求項１１】
前記少なくとも２つの出力信号のうちの少なくとも１つを処理して、奇数・偶数トランスポンダ・チャンネル・ペアを分離して、前記ビット・ストリームのうちの少なくとも１つを供給する少なくとも１つのチャンネル再生素子を更に含む、請求項９記載の衛星放送受信機。
【請求項１２】
前記変換素子が、疎行列の因数分解を用いて、前記一定数の抜き取り済みデータ・ストリームに対して、行列に基づく処理を行うように構成された、請求項９記載の衛星放送受信機。
【請求項１３】
前記変換素子が、高速フーリエ変換を用いて、前記一定数の抜き取り済みデータ・ストリームに対して、行列に基づく処理を行うように構成された、請求項９記載の衛星放送受信機。
【請求項１４】
前記変換素子が、ハートリー変換に基づく離散フーリエ変換を用いて、前記一定数の抜き取り済みデータ・ストリームに対して、行列に基づく処理を行うように構成された、請求項９記載の衛星放送受信機。
【請求項１５】
前記少なくとも２つのトランスポンダ・チャンネルからのビット・ストリームから一定数のバーチャル・チャンネルを供給する、放送チャンネル分配器を更に含む、請求項９記載の衛星放送受信機。
【請求項１６】
複数のトランスポンダ・チャンネルから各信号を受信する衛星放送受信機内に使用される集積回路であって、
各々が前記複数のトランスポンダ・チャンネルの映像を伝送する複数のデータ・ストリームを処理して、前記複数のトランスポンダ・チャンネルのうちの少なくとも２つのトランスポンダ・チャンネルからのビット・ストリームを表す少なくとも２つの信号を同時に供給する変換素子と、
前記少なくとも２つトランスポンダ・チャンネルからのビット・ストリームから一定数のバーチャル・チャンネルを供給する放送チャンネル分配器と、
を含む集積回路。
【請求項１７】
前記少なくとも２つ信号のうちの少なくとも１つを処理して、奇数・偶数トランスポンダ・チャンネル・ペアを分離して、前記ビット・ストリームのうちの少なくとも１つを供給する少なくとも１つのチャンネル再生素子を更に含む、請求項１６記載の集積回路。
【請求項１８】
前記変換素子が、疎行列の因数分解を用いて、前記複数のデータ・ストリームに対して、行列に基づく処理を行うように構成された、請求項１６記載の集積回路。
【請求項１９】
前記変換素子が、高速フーリエ変換を用いて、前記複数のデータ・ストリームに対して、行列に基づく処理を行うように構成された、請求項１６記載の集積回路。
【請求項２０】
前記変換素子が、ハートリー変換に基づく離散フーリエ変換を用いて、前記複数のデータ・ストリームに対して、行列に基づく処理を行うように構成された、請求項１６記載の集積回路。
【請求項２１】
受信機に於いて使用される方法であって、
各々が異なるビット・ストリームを伝送する複数の相異なる周波数チャンネルを有する信号を供給するステップと、
前記信号に対して信号キャンセルを行い、前記複数の相異なる周波数チャンネルのうちの少なくとも２つから相異なるビット・ストリームを再生するステップと、
これらの再生された相異なるビット・ストリームを同時に供給するステップと、
を含む方法。
【請求項２２】
前記再生するステップには、
前記信号をサンプリングして、一定数の抜き取り済みサンプル・ストリームを供給するステップと、
前記一定数の抜き取り済みサンプル・ストリームに対して、変換に基づく処理を行い、前記相異なるビット・ストリームを再生するステップと、
が含まれている、請求項２１記載の方法。
【請求項２３】
前記変換に基づく処理を行い再生するステップには、奇数・偶数周波数チャンネル・ペアを分離して、前記相異なるビット・ストリームのうちの少なくとも１つを再生するステップが含まれている、請求項２２記載の方法。
【請求項２４】
前記サンプリングして供給するステップには、
前記信号を前記一定数の抜き取り済みサンプル・ストリームに多重分離するステップと、
前記一定数の抜き取り済みサンプル・ストリームを時間的に整合させるステップと、
が含まれている、請求項２２記載の方法。
【請求項２５】
前記変換に基づく処理を行い再生するステップには、疎行列の因数分解を用いて、前記一定数の抜き取り済みサンプル・ストリームに対して、行列に基づく処理を行うステップが含まれている、請求項２２記載の方法。
【請求項２６】
前記変換に基づく処理を行い再生するステップには、高速フーリエ変換を用いて、前記一定数の抜き取り済みサンプル・ストリームに対して、行列に基づく処理を行うステップが含まれている、請求項２３記載の方法。
【請求項２７】
前記変換に基づく処理を行い再生するステップには、ハートリー変換に基づく離散フーリエ変換を用いて、前記一定数の抜き取り済みサンプル・ストリームに対して、行列に基づく処理を行うステップが含まれている、請求項２４記載の方法。
【請求項２８】
前記再生された相異なるビット・ストリームから一定数のバーチャル・チャンネルを供給するステップを更に含む、請求項２５記載の方法。